(57)【要約】      （修正有）【課題】吸水、保湿の効果を有することで、水分が早く失われることを防ぐとともに電極片が湿潤し易く、生体信号を検知する導電効果が向上し、且つ乾燥地区において人体の生体信号への検知に適用され、使用上の利便性を向上させる生体信号検知器を提供する。【解決手段】生体信号検知器１は、少なくとも一つの電極片１１と、ベース層２０と、少なくとも一つの吸水手段３０との組立構造を含む。電極片１１がベース層２０の上面に設けられ、電極片１１とベース層２０との間に第１の受容室Ｓ１が形成され、吸水手段３０が第１の受容室内Ｓ１に位置決めされ、吸水手段３０の上端部が電極片１１に接し、吸水手段３０の底部がベース層２０に接触される。【選択図】図２
0003177243.tif 000002
【実用新案登録請求の範囲】
【請求項１】
ベース層と、
前記ベース層の上面に設けられ、前記ベース層との間に第１の受容室が形成された少なくとも一つの電極片と、
前記第１の受容室内に位置決めされ、上端部が前記電極片に接し、底部が前記ベース層に接触される少なくとも一つの吸水手段とを含む、生体信号検知器。
【請求項２】
前記電極片は、複数の非導電性繊維の糸と複数の導電性繊維の糸で編組して構成され、前記電極片の複数の導電性繊維の糸で導電領域を編組することを特徴とする請求項１に記載の生体信号検知器。
【請求項３】
前記電極片全体は、複数の導電性繊維の糸で編組して構成されることを特徴とする請求項１に記載の生体信号検知器。
【請求項４】
前記吸水手段の底部に滑り止めが間隔をおいて複数設けられ、前記ベース層の上面に対応する滑り止めが間隔をおいて複数設けられ、前記対応する滑り止めの個々が前記各滑り止めと互いに対応され、前記対応する滑り止めが前記滑り止めに対応して係合されることを特徴とする請求項１に記載の生体信号検知器。
【請求項５】
前記吸水手段は、綿紙、綿生地、シリコン、吸水性発砲プラスチックのうち一つであることを特徴とする請求項１に記載の生体信号検知器。
【請求項６】
前記吸水手段は、ポリアクリル酸ナトリウムで構成された部材であることを特徴とする請求項１に記載の生体信号検知器。
【請求項７】
前記吸水手段は、弾性体であることを特徴とする請求項１に記載の生体信号検知器。
【請求項８】
前記ベース層は、布地層であることを特徴とする請求項１に記載の生体信号検知器。
【請求項９】
前記ベース層は、防水材層であることを特徴とする請求項１に記載の生体信号検知器。
【請求項１０】
前記ベース層は、互いに重ね合う上部防水層と下部布地層とで構成され、前記上部防水層が前記各吸水手段に接触されることを特徴とする請求項１に記載の生体信号検知器。
【請求項１１】
前記少なくとも一つの電極片は、複数の電極片を有し、前記各電極片が前記ベース層の上面に間隔をおいて設けられ、前記各電極片と前記ベース層との間に第１の受容室がそれぞれ形成され、前記少なくとも一つの吸水手段は、複数の吸水手段を有し、前記各吸水手段が前記各第１の受容室内にそれぞれ位置決めされ、前記各吸水手段の上端部が前記各電極片にそれぞれ接し、前記各吸水手段の底部が前記ベース層にそれぞれ接触され、また、隣接する何れか２つの電極片間に接続片が接続され、前記接続片と前記ベース層との間に第２の受容室が形成され、前記電極片と前記接続片とが互いに接続して前記ベース層の形状に対応する上層を形成することを特徴とする請求項１に記載の生体信号検知器。
【請求項１２】
さらに帯ひもを含み、前記帯ひもの下縁が前記ベース層の底面の周縁に接続され、前記帯ひもの上縁が前記上層の上面の周縁に接続され、前記上層の上面の周縁が前記ベース層の底面の周縁に対応されることを特徴とする請求項１１に記載の生体信号検知器。
【請求項１３】
前記各電極片には少なくとも一本の延長導線がさらに結合され、前記各延長導線の一端が前記各電極片内に延在して電気的に接続され、前記各延長導線の他端が前記各電極片の一側縁から延出されることを特徴とする請求項１１に記載の生体信号検知器。
【請求項１４】
さらに帯ひもを含み、前記帯ひもの下縁が前記ベース層の底面の周縁に接続され、前記帯ひもの上縁が前記電極片の上面の周縁に接続され、前記電極片の上面の周縁が前記ベース層の底面の周縁に対応されることを特徴とする請求項１に記載の生体信号検知器。
【請求項１５】
前記吸水手段は、少なくとも一つの蓄水フィラーと、該蓄水フィラーを覆う受容袋とをさらに含み、前記受容袋の底部に滑り止めが間隔をおいて複数設けられ、前記ベース層の上面に対応する滑り止めが間隔をおいて複数設けられ、前記対応する滑り止めの個々と前記各滑り止めと互いに対応され、前記対応する滑り止めが前記滑り止めに対応して係合されることを特徴とする請求項１に記載の生体信号検知器。
【請求項１６】
前記蓄水フィラーは、綿紙、綿生地、シリコン、吸水性発砲プラスチックのうち一つであることを特徴とする請求項１５に記載の生体信号検知器。
【請求項１７】
前記蓄水フィラーは、ポリアクリル酸ナトリウムで構成された部材であることを特徴とする請求項１５に記載の生体信号検知器。
【請求項１８】
前記受容袋は、互いに重ね合う上部透水層と下部防水層とを含み、前記下部防水層が前記ベース層に接し、前記上部透水層が前記電極片に接触され、前記複数の滑り止めが前記下部防水層の下面に設けられることを特徴とする請求項１５に記載の生体信号検知器。
【請求項１９】
前記蓄上部透水層は、布地層、紙材層又は半透明樹脂のうち一つであることを特徴とする請求項１８に記載の生体信号検知器。
【請求項２０】
前記吸水手段は突起状であることを特徴とする請求項１に記載の生体信号検知器。
【考案の詳細な説明】
【技術分野】
【０００１】
本考案は、生体信号検知器に係り、特に、吸水、保湿の効果を有することで電極片が湿潤し、生体信号を検知する導電効果が向上し、且つ乾燥地区において人体の生体信号への検知に適用され、人の体の表面に接するような生体信号検知器に関るものである。
【背景技術】
【０００２】
現在、人の心拍、脳波などの生体信号を計測する際に、体の表面（体表とも称し）の異なる部位に生理計測機器の複数の電極片がそれぞれ貼付（又は装着）され、これらの電極片により神経衝動（すなわち、膜電位の変化）が体の器官（例えば、心臓や頭部）を通ったときに周囲組織又は体表に拡散された電流を検知し、前記電流がさらに生理計測機器に電線を介して伝送され、データに変換して表示されることによって、被計測部位の状況（例えば、心拍頻度や脳波変化）がわかるようになる。
【考案の概要】
【考案が解決しようとする課題】
【０００３】
上記従来の電極片は、主に、ベース層（例えば、導電コロイド層）と、ベース層に結合された導電部とで構成され、生体信号を検知するときに、ベース層の粘着性或いは導電用の水性ゲルがさらに塗布されることにより体表（例えば、皮膚）を湿潤し、体表の電流がベース層、導電部及び電線を経て生理計測機器に流れるようになる。一方で、生理計測機器から体表に電流を伝送することにより、体表に深く進入して治療すべき部位を刺激する場合、所謂、電極治療となる。
【０００４】
しかしながら、前記従来の電極片のベース層と組み合わせられる水性ゲルとが、透気し難い且つ過敏の問題があり、いずれも使用上における不快適性となる。しかも、人の体表に皮屑（乾性皮膚の場合に生じられ）及び油脂（油性皮膚の場合に生じられ）などの物質が排出され、ベース層に付着し易く電流の伝導妨害となり、しかも人体に体温があるので、体表の水分が（蒸発して）失われ易く、或いは組み合わせられたゲルが乾いてしまい、湿潤状態に形成されなくなり、ベース層に接着性が失って剥離され、同じく電流伝導に影響が与えられ生体信号を検知し難くなり、特に乾燥な環境では、水分をより保持し難く、さらに検知中止という事態も招き易く、猶更ベース層が亀裂し易くなる。
【０００５】
また、複数の従来の電極片を用いるときに、各従来の電極片間の位置が隣接すれば、電極片同士が接触し易くなり、ショート（short circuit）になってしまう場合もある。
【０００６】
上記を鑑みて、本考案の創作者は、専念に研究や設計、組み立てをし、吸水、保湿の効果を有することで、電極片が湿潤し、生体信号を検知する導電効果が向上し、且つ乾燥地区において人体の生体信号への検知に適用し、使用上の利便性を向上させ、人の体の表面に接するような生体信号検知器の提供を期することは、本考案が創作しようとする動機である。
【０００７】
本考案は、吸水、保湿の効果を有することで、水分が早く失われることを防ぐとともに電極片が湿潤し易く、生体信号を検知する導電効果が向上し、且つ乾燥地区において人体の生体信号への検知に適用され、使用上の利便性を向上させる生体信号検知器を提供することを主な目的とする。
【０００８】
本考案は、位置決めの効果を有し、快適感及び美観の効果を向上させ、さらに電流伝導への影響を降下させるとともに、ノイズ干渉を低下させる帯ひも付き生体信号検知器を提供することを次の目的とする。
【０００９】
本考案は、体の表面に接して密着し易いよう、吸水の後に目立つ突起を有する生体信号検知器を提供することを他の目的とする。
【課題を解決するための手段】
【００１０】
前記目的を達成するため、本考案に係る生体信号検知器は、ベース層と、前記ベース層の上面に設けられ、前記ベース層との間に第１の受容室が形成された少なくとも一つの電極片と、前記第１の受容室内に位置決めされ、上端部が前記電極片に接し、底部が前記ベース層に接触される少なくとも一つの吸水手段とを含むことによって、吸水、保湿の効果を有し、水分が早く失われることを防ぐとともに電極片が湿潤し易く、さらに吸水手段により吸水して各電極片を隆起させ、電極片を体の表面に接して密着させ、被計測者の生体信号を検知し易く、使用上の利便性を向上させ、さらに、帯ひもが付加されることで、位置決めの効果を有し、快適感及び美観の効果を向上させ、さらに電流伝導への影響を降下させるとともに、ノイズ干渉を低下させる。
【図面の簡単な説明】
【００１１】
【図１】本考案に係る生体信号検知器を示す斜視図である。
【図２】図１のＡ―Ａ線に沿う断面図である。
【図３】図１のＢ―Ｂ線断面を示す断面図である。
【図４】各電極片に延長導線が増設され、ベース層が互いに重ね合う上部防水層と下部布地層とで構成された、図２の生体信号検知器を示す図である。
【図５】帯ひもをさらに含み、各電極片間に接続片が増設され、各電極片に延長導線が増設された、図１の生体信号検知器を示す図である。
【図６】帯ひもをさらに含む、図２の生体信号検知器を示す図である。
【図７】本考案に係る生体信号検知器の簡単な実施例を示す図である。
【図８】帯ひもをさらに含む、図７の生体信号検知器を示す分解斜視図である。
【図９】図８の生体信号検知器の組立後の様子を示す斜視図である。
【図１０】蓄水フィラ電極片をーと受容袋とで構成された図７における吸水手段を示す図である。
【図１１】図8における受容袋が互いに重ね合う上部透水層と下部防水層とを有するとともに、該吸水手段が吸水後に膨張して突起状となる実施例を示す図である。
【図１２】本考案に係る生体信号検知器が前開き式の上着内に結合される様子を示す図である。
【考案を実施するための形態】
【００１２】
本考案の特徴、特点及び技術内容をさらに深く了解を得るため、以下の本考案に係る詳細説明及び添付図面を参照する。前記添付図面は参考や説明のためにのみ提供され、本考案を局限するものではない。
【実施例】
【００１３】
図１〜図１１に示すように、本考案は、生体信号検知器であって、生体信号検知器１は、少なくとも一つの電極片１１と、ベース層２０と、少なくとも一つの吸水手段３０とを含んだ組立構造であり、電極片１１が体の検知すべき部位の表面に接触され、吸水手段３０が電極片１１に対応して配置され、また、ベース層２０が装着物（図１２の衣服５０を参照）に直接的に接続されることができる。
【００１４】
本考案の生体信号検知器１の簡単な構造が、図７に示すように、単一の電極片１１を用いて構成され、電極片１１がベース層２０の上面に設けられ、電極片１１とベース層２０との間に第１の受容室Ｓ１が形成され、吸水手段３０が第１の受容室Ｓ１内に位置決めされ、吸水手段３０の上端部が電極片１１に接し、底部がベース層２０に接触されることによって、本考案は、吸水性の効果を有し、吸水手段３０で電極片１１を湿潤し易くなる。
【００１５】
実際に使用されるときに、本考案の生体信号検知器１は、電極片１１の使用数量に応じて異なる実施形態となり、単一の電極片１１を用いる場合に、本考案の生体信号検知器１が結合された装着物（図示せず、例えば、腕帯又はリストバンド）は、人の体の手首（図示せず）に設けられ、さらに電子装置（図示せず、例えば、マルチメディアプレーヤ）が配置され、電子装置の他端に付属部材（図示せず、例えば、イヤホン）が電気的に接続され、付属部材が体の他の部位（例えば、耳部）に設けられ、アース（Ground）（又は導電負極）として使用されることにより、検知回路が形成され、複数の電極片１１を用いる場合に、本考案の生体信号検知器１は、上記の手首に設けられるとは限らず、図１２に示すように、衣服５０に結合され、衣服５０内の２つの電極片１１を介して検知回路が形成されても良い。
【００１６】
電極片１１は、複数の非導電性繊維の糸と複数の導電性繊維の糸とで編組してなり、複数の非導電性繊維の糸と複数の導電性繊維の糸の交織間に複数の網目１１１が形成され、さらに、電極片１１の複数の導電性繊維の糸で導電領域１１２が編組されることにより、接触面積を向上させ、また、電極片１１は、複数の綱目１１１を介して、電流を伝導し易くなるよう導電媒体（例えば、水もしくは生理食塩水）の浸透が容易となり、塵埃などの不純物による電極片１１内への侵入も遮断され、後の洗浄（不純物を除去）及びメンテナンスを容易に行えるようになり、導電領域１１２内への干渉が低下し、ノイズの発生が減少され、さらに、吸水手段３０が浸透された水分をより吸収し易くなり、保湿の効果を達成できる。実施例では、電極片１１全体は、複数の導電性繊維の糸で編組しても良い、このように、電極片１１全体が導電効果を有し、より検知し易くなる。
【００１７】
また、吸水手段３０が電極片１１と均一に対応して接し湿潤させるため、図２及び図３に示すように、吸水手段３０の底部に滑り止め３１（例えば、凸リブ又は凹溝）が間隔をおいて複数設けられ、ベース層２０の上面に対応する滑り止め２１（例えば、凹溝又は凸リブ）が間隔をおいて複数設けられ、対応する滑り止め２１の個々が各滑り止め３１と互いに対応され、第１の受容室Ｓ１ごと内に吸水手段３０ごとが安定的に立たされるように、これらの対応する滑り止め２１がこれらの滑り止め３１に対応して係合され、吸水手段３０が滑ると電極片１１の外見表面に不均一な突起が形成されることが防止できる。一方、実際に使用されるときに、対応する滑り止め２１を凸リブとし、滑り止め３１を該凸リブと対応して係合される凹溝とすることもできる。
【００１８】
吸水手段３０は、綿紙、綿生地、シリコン、吸水性発砲プラスチック、毛羽パルプ（例えば、紙パルプ）、ポリアクリル酸ナトリウム (sodium polyacrylate)、又は他の同等な効果を有するアクリル（propenoic acid)ポリマーからなる部材で、或いは他の同等な効果を有する高吸水性ポリマー（Superabsorbent polymers）からなることにより、製造するときに、使用可能となる類型が増加され、切り替えし易く、単一の材料に局限されることが避けられる。
【００１９】
吸水手段３０が弾性体であり、その形状が実際の製造に応じて球状（又はブロック状）となり、製造し易い他、本考案の吸水手段３０は、弾性があって伸縮可能になるので、弯曲や曲折をし易く、その後も元に戻り易く、このように体の表面に貼付されるときに、体の表面の曲線に沿ってスムーズに貼り付けられ、使用便利及び交換し易くなる。
【００２０】
ベース層２０は、布地層又は防水材層であり、ベース層２０が布地層である場合に、本考案全体が透気の効果を有する一方、吸水手段３０が第１の受容室Ｓ１内に規制され、電極片１１（又はベース層２０）に水分（若しくは水気）を通過させるときに、吸水手段３０に再び吸収されることにより、水分（若しくは水気）が生体信号検知器１から容易に流出されることが防げられるとともに、各電極片１１を持続して湿潤させ長時間の電流伝導を維持できる。ベース層２０が防水材層である場合に、プラスチックシート材料又はポリエステル繊維（polyester fiber）材料で構成され、防水の効果を達し、導電用の水分（若しくは水気）がベース層２０を介して流失されることが避けられ、同じく保湿の効果を有する。しかし、本考案のベース層２０は、上記に限らず、図４に示すように、ベース層２０は、互いに重ね合う上部防水層２２と下部布地層２３とで構成され、上部防水層２２（例えば、ポリエステル繊維で作製され）が各吸水手段３０に接触されることにより、防水の効果を有し、且つ上部防水層２２が下部布地層２３で保護され、上部防水層２２の上面に複数の対応する滑り止め２１が設けられ、下部布地層２３が衣服に結合されるように構成しても良い。
【００２１】
また、本明細書では、少なくとも一つの電極片１１とは、複数の電極片１１を有し、少なくとも一つの吸水手段３０とは、複数の吸水手段３０を有し、複数の用語とは２以上の数を意味するので、本考案は、図２、図４に示すように、両吸水手段３０と組み合わせて両電極片１１を用いる場合に、両電極片１１がベース層２０の上面に間隔をおいて設けられ（図１に示すように）、各電極片１１とベース層２０との間に第１の受容室Ｓ１がそれぞれ形成され、両吸水手段３０が各第１の受容室Ｓ１内にそれぞれ位置決めされ、各吸水手段３０の上端部が各電極片１１にそれぞれ接し、各吸水手段３０の底部がベース層２０にそれぞれ接触され、このように、吸水手段３０が各電極片１１を湿潤し易くなる。
【００２２】
さらに、図４及び図５に示すように、隣接する何れか２つの電極片１１間に少なくとも一つの接続片１２が接続され、接続片１２とベース層２０との間に少なくとも一つの第２の受容室Ｓ２が形成され、これらの電極片１１と接続片１２とが互いに接続してベース層２０の形状に対応する上層１０を形成することによって、これらの電極片１１が接続片１２を介して身体の同一部位の対応側に（例えば、頭の左右両対向側、背中の左右両対向側、又は、心臓部の胸、背の両対向側）に速やかに貼り付けることができ、各電極片１１間が互いに接触してショート（short circuit）になってしまうことが避けられる。
【００２３】
第２の受容室Ｓ２は、他の部品（例えば、電線や、センサ、コントローラ）を収容するためのものであるが、第２の受容室Ｓ２内に物が置かれていない場合、接続片１２がベース層２０の上面に貼り付けられる。
【００２４】
電極片１１のサイズが大きい場合に、コストを削減するとともに、電極片１１を体表の電流と電気的に接続するため、さらに図４、図５に示すように、各電極片１１には少なくとも一本の延長導線１３（図４において下方の一部拡大図に示され）がさらに結合され、各延長導線１３の一端が各電極片１１内に延在して電気的に接続され（すなわち、導電領域１１２に電気的に接続され）、各延長導線１３の他端が各電極片１１の一側縁から延出されることによって、各電極片１１の延長導線１３が体表の電流と電気的に接続し易くなるよう、各吸水手段３０が吸水して膨張した後、各電極片１１が突起状となり、実際に使用されるときに、本考案は、単一の電極片１１を用いて、この場合も、延長導線１３が付加されても良い、また、本考案は、２以上の電極片１１を用いる場合に、各電極片１１のサイズに応じて延長導線１３が選択的に結合される。
【００２５】
電極片１１の延長導線１３は、紡織用の複数の導電糸からなり、やや柔らかいので、延長導線１３には電線（図示せず）が電気的に接続され、電線の他端が生理計測機器（図示せず）にさらに電気的に接続されることにより、体表の電流が電極片１１、延長導線１３及び電線を経てから生理計測機器に伝送されることができ、実際に使用する場合に、延長導線１３が必ずしも設置しなければならない部材ではないので、電極片１１が電線（図示せず）に直接的に電気的に接続されても良い。
【００２６】
また、図５（図６に合わせて）に示すように、本考案の実施形態の最適例として、さらに、帯ひも４０を含み、帯ひも４０の下縁４１がベース層２０の底面の周縁に接続され、帯ひも４０の上縁４２が上層１０（すなわち、互いに接続されたこれらの電極片１１と前記接続片１２とで構成され）の上面の周縁に接続され、上層１０の上面の周縁がベース層２０の底面の周縁に対応され、帯ひも４０でカバーして固定し易くなることにより、快適感及び美観の効果を向上させる。本実施例では、接続片１２は、実際の要求に応じて選択的に設けられるので、本考案も、図６に示すように、ベース層２０の上面のみに２つの電極片１１が間隔をおいて設けられるため、２つの電極片１１の上面の周縁のみにその帯ひも４０の上縁４２が接続されることによって、本考案は、衣服５０にミシン縫いで（ステッチ６０で縫製して固定し）結合されたときに（図１２を参照）、帯ひも４０により縫い付ける領域を確認し、ステッチ６０を帯ひも４０に沿って縫い付けることで、吸水手段３０まで誤まって縫い付けて構造を破壊してしまうことが避けられる。さらに、本考案は、衣服５０に合わせることによって、被計測者が装着した後に、２つの電極片１１の導電領域１１２が被計測べき部位に速やかに対応して密着され易くなるので、個別に貼付されることが避けられる。
【００２７】
また、図８に示すように、帯ひも４０の実施形態として、前述した生体信号検知器１の簡単な構造と組立して使用されても良い（該簡単な構造には図７を参照し、且つ、組立した様子について図９を参照すれば良い）、帯ひも４０の下縁４１がベース層２０の底面の周縁に接続され、帯ひも４０の上縁４２が電極片１１の上面の周縁に接続され、電極片１１の上面の周縁がベース層２０の底面の周縁に対応されることにより、帯ひも４０でカバーして固定し易くなり、同様に快適感及び美観の効果を向上させ、組み合わせる衣服５０に接続し易くなる。
【００２８】
また、図１０に示すように、吸水手段３０は、少なくとも一つの蓄水フィラー３３と、該蓄水フィラー３３を覆う受容袋３４とをさらに含むことによって、水分が早く失われることを防止し、蓄水フィラー３３を複数用いるときに、複数の蓄水フィラー３３の散乱を避けるため、これらの蓄水フィラー３３を受容袋３４で覆って拘束し、吸水手段３０が調整可能且つ電極片１１を支持できる構造となり、このように、蓄水及び支持の効果を有し、本考案が人の体表に貼り付けられるときに、吸水手段３０が対応する各電極片１１に密着され、体表の曲線に沿って貼り付けられ、隙間の発生が避けられ、体の表面の電流が電極片１１に伝達し、生体信号の変化を検知し易くなる。
【００２９】
受容袋３４の底部に滑り止め３１が間隔をおいて複数設けられ、ベース層２０の上面に対応する滑り止め２１が間隔をおいて複数設けられ、対応する滑り止め２１の個々が各滑り止め３１と互いに対応され、これらの対応する滑り止め２１がこれらの滑り止め３１に対応して係合されることにより、吸水手段３０が滑ると電極片１１の外見表面に不均一な突起が形成されることが防止できる。
【００３０】
水分が早く失われることを防止するとともに、吸水手段３０による電極片１１への湿潤効果を向上するため、図１１に示すように、受容袋３４は、互いに重ね合う上部透水層３４１と下部防水層３４２を含み、下部防水層３４２がベース層２０に接し、上部透水層３４１が各電極片１１に接触され、複数の滑り止め３１が下部防水層３４２の下面に設けられ、上部透水層３４１は、布地層、紙材層又は半透明樹脂で構成されることにより、水分が上部透水層３４１、電極片１１のみを介して排出され、受容袋３４内に水分を蓄水し易くなる。
【００３１】
蓄水フィラー３３は、綿紙、綿生地、シリコン、吸水性発砲プラスチック、毛羽パルプ、ポリアクリル酸ナトリウム、又は他の同等な効果を有するアクリルポリマー、高吸水性ポリマーからなり、前記部材の形状は複数変化（例えば、球状）を有する。
【００３２】
上記のように、吸水手段３０の上端部を突起状を有するように直接的に設けて（図８に示すように）、吸水後に吸水手段３０を膨張させより突起の形状となり、電極片１１を直接的に支持でき、図１１に示すように、吸水手段３０は、複数の蓄水フィラー３３と受容袋３４とで組み合わせて構成されたときに、これらの蓄水フィラー３３が吸水後に膨張して大きくなり、すなわち、受容袋３４の表面全体に複数の突起部３２が形成され、これらの突起部３２も対応する電極片１１を支持でき、このように、体表の曲線に沿ってより密着される。
【００３３】
よって、本考案の生体信号検知器は、少なくとも一つの電極片１１と、ベース層２０と、少なくとも一つの吸水手段３０との組合設計により、吸水、保湿の効果を有し、水分が早く失われることを防ぐとともに電極片１１が湿潤し易く、さらに吸水手段３０が吸水して膨張して突起となり或いは突起状に設けられることにより、電極片が体の表面に接して密着し易い効果を有し、被計測者の生体信号を検知し易く、使用上の利便性を向上させ、さらに、帯ひも４０が付加されることで、位置決めの効果を有し、快適感及び美観の効果を向上させ、さらに電流伝導への影響を降下するとともに、ノイズ干渉を低下させる。
【００３４】
以上のように、単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に含まれるべきことは言うまでもないことである。
【符号の説明】
【００３５】
１：生体信号検知器
１０：上層
１１：電極片
１２：接続片
１３：延長導線
２０：ベース層
２１：滑り止め
２２：上部防水層
２３：下部布地層
３０：吸水手段
３１：滑り止め
３２：突起部
３３：蓄水フィラー
３４：受容袋
４０：帯ひも
４１：下縁
４２：上縁
５０：衣服
６０：ステッチ
１１１：綱目
１１２：導電領域
３４１：上部透水層
３４２：下部防水層
Ｓ１：第１の受容室
Ｓ２：第２の受容室
【図１】
0003177243.tif 000003
【図２】
0003177243.tif 000004
【図３】
0003177243.tif 000005
【図４】
0003177243.tif 000006
【図５】
0003177243.tif 000007
【図６】
0003177243.tif 000008
【図７】
0003177243.tif 000009
【図８】
0003177243.tif 000010
【図９】
0003177243.tif 000011
【図１０】
0003177243.tif 000012
【図１１】
0003177243.tif 000013
【図１２】
0003177243.tif 000014